(57)【要約】【課題】簡易で小型化が可能な構造で、着脱が容易なゴム支承体のせん断変形保持装置を提供する。【解決手段】橋軸直角方向両サイドにおいて、下沓３と橋軸方向Ｘに相対的にずらした上沓２の橋軸直角方向端面に反力受け体６の一端部を締結するとともに、一端部から下方に延びる保持部６ａをサイドブロック４の基部４ｂの橋軸方向Ｘ端面に対向させて、保持部６ａから突出する調節ボルト８の先端部を対向するサイドブロック４の基部４ｂの端面に当接させ、反力受け体６でせん断変形による反力を負担してせん断変形を保持するとともに、調節ボルト８の突出量を変更してせん断変形量を調節する。【選択図】    図２
2006152672.tif 000002
【特許請求の範囲】
【請求項１】
上沓と下沓との間に鋼板とゴム層とを交互に積層したゴム積層体を設け、両サイドに橋軸直角方向の移動を規制するサイドブロックを固設するゴム支承体の上沓と下沓とを橋軸方向に相対的にずらしたせん断変形状態を保持するゴム支承体のせん断変形保持装置であって、前記相対的にずらした上沓の橋軸直角方向端面に一端部が締結されるとともに、該一端部から延びて前記サイドブロックの橋軸方向端面に対向する保持部を有する反力受け体と、前記保持部から前記対向するサイドブロックの端面に向かって当接可能に突出し、その突出量を変更可能なすき間調節手段とを備えたゴム支承体のせん断変形保持装置。
【請求項２】
前記反力受け体の一端部に、前記上沓の上面または下面の少なくとも一方に突出して前記反力受け体の傾きを規制する突部を設けた請求項１に記載のゴム支承体のせん断変形保持装置。
【請求項３】
前記すきま調節手段が、前記保持部を貫通するボルト穴に螺合して先端部を突出可能とした調節ボルトである請求項１または２に記載のゴム支承体のせん断変形保持装置。
【発明の詳細な説明】
【技術分野】
【０００１】
本発明は、ゴム支承体のせん断変形保持装置に関し、さらに詳しくは、簡易で小型化可能な構造で、着脱が容易なゴム支承体のせん断変形保持装置に関するものである。
【背景技術】
【０００２】
ゴム支承体は、上沓と下沓の間に鋼板とゴム層とを交互に積層したゴム積層体を介装した構造となっており、場合によってゴム支承体の橋軸直角方向の両サイドには、ゴム支承体の橋軸直角方向の移動を規制するサイドブロックが固定ボルトによって固定されている。
【０００３】
ゴム支承体は通常時においては、ゴム支承体の上に載置される橋梁の伸縮等をゴム積層体がせん断変形することによって吸収緩和している。また、地震時には、ゴム積層体がせん断変形することにより、地震力を低減している。また、サイドブロックがゴム積層体のせん断変形によるゴム支承体の移動を規制して道路、橋ジョイントの保護や橋梁が脱落しないようにしている。
【０００４】
ところで、橋梁の構造や、製造誤差、温度変化による伸縮等によって、必要に応じてゴム支承体を橋脚等に設置する前または設置した後に、橋軸方向にせん断変形させる場合がある。
【０００５】
例えば、コンクリート製の橋梁の場合は、コンクリートの乾燥による収縮を見込んで、予め収縮方向と反対方向にその収縮量だけ、下沓に対して上沓をジャッキ等で橋軸方向に移動させてゴム積層体にせん断変形を与えておく。このせん断変形を保持した状態でゴム支承体を橋脚等に設置して、上部に橋梁等を載置した後にせん断変形を解除するようにしている。これによって、乾燥後にゴム支承体は中立状態となり、適正な性能を発揮することができる。
【０００６】
このせん断変形状態を保持するために従来は、例えば図６〜７に示す装置を用いていた。図中のＸ矢印方向は橋軸方向を、Ｙ矢印方向は橋軸直角方向を示している。ゴム支承体１は、上沓２と下沓３との間に鋼板とゴム層とを交互に積層したゴム積層体５を設け、両サイドに橋軸直角方向Ｙの移動を規制するサイドブロック４を固設した構造となっている。サイドブロック４は、橋軸方向Ｘを長手方向とする四角柱状の基部４ｂに四角柱状の上方突部４ａを突設した形状をしており、下沓３に螺合してサイドブロック４を固定するサイドブロック固定ボルト９の頭部が基部４ｂの上面に突出している。
【０００７】
まず、上沓２の一方の橋軸方向Ｘ端面に反力受け体６を取付けるためのボルト穴を設け、反力受け体６に締結固定ボルト７を貫通させて、このボルト穴に螺合させ、反力受け体６を上沓２から橋軸直角方向Ｙ両側に突出させて上沓２に固定する。
【０００８】
この状態で、両サイドブロック４の上方突部４ａと反力受け体６と間に、それぞれスペーサ１０を挟み込んで、せん断変形を保持するようにしていた。スペーサ１０には、くさび状部１０ａがずれることによって長さが縮んで取り外しが容易となるくさびスペーサなどを使用していた。
【０００９】
しかしながら、この装置では、上方突部４ａの突出高さが小さいとスペーサ１０を配置するのが困難であり、容易に着脱ができないという問題があった。
【００１０】
また、スペーサ１０を取り外す際に、ゴム支承体１のせん断変形が確実になくなっていなければ、スペーサ１０が不意に飛び出すおそれがあり、取り外しに問題があった。
【００１１】
さらに、スペーサ１０の長さが、上方突部４ａから上沓２の橋軸方向Ｘ端面に固定された反力受け体６まで必要であり、不安定さが増し、装置も大掛かりになるという問題があった。
【００１２】
このように従来の装置では、サイドブロックの上方突部４ａから上沓２の橋軸方向Ｘ端面に固定された反力受け体６の間にスペーサ１０や支え棒を配置する大掛かりな装置が多く（例えば、特許文献１参照）、せん断変形を保持した状態のゴム支承体を運搬、設置等するには作業がしにくいものであった。
【００１３】
特許文献２においては、せん断ネジと反力受け体となるストッパ部材に加えて、サイドブロックとは別個の固定ブロックを設けた保持装置となっており、構造の簡易化、小型化の余地があった。
【特許文献１】特開平７−１５８０１７号公報
【特許文献２】特開平１０−１３１１２１号公報
【発明の開示】
【発明が解決しようとする課題】
【００１４】
本発明の目的は、簡易で小型化が可能な構造で、着脱が容易なゴム支承体のせん断変形保持装置を提供することにある。
【課題を解決するための手段】
【００１５】
上記目的を達成するため本発明のゴム支承体のせん断変形保持装置は、上沓と下沓との間に鋼板とゴム層とを交互に積層したゴム積層体を設け、両サイドに橋軸直角方向の移動を規制するサイドブロックを固設するゴム支承体の上沓と下沓とを橋軸方向に相対的にずらしたせん断変形状態を保持するゴム支承体のせん断変形保持装置であって、前記相対的にずらした上沓の橋軸直角方向端面に一端部が締結されるとともに、該一端部から延びて前記サイドブロックの橋軸方向端面に対向する保持部を有する反力受け体と、前記保持部から前記対向するサイドブロックの端面に向かって当接可能に突出し、その突出量を変更可能なすき間調節手段とを備えたことを特徴とするものである。
【発明の効果】
【００１６】
本発明のゴム支承体のせん断変形保持装置によれば、上沓と下沓との間に鋼板とゴム層とを交互に積層したゴム積層体を設け、両サイドに橋軸直角方向の移動を規制するサイドブロックを固設するゴム支承体の上沓と下沓とを橋軸方向に相対的にずらしたせん断変形状態を保持するゴム支承体のせん断変形保持装置であって、相対的にずらした上沓の橋軸直角方向端面に一端部が締結されるとともに、この一端部から延びてサイドブロックの橋軸方向端面に対向する保持部を有する反力受け体と、保持部から対向するサイドブロックの端面に向かって当接可能に突出し、その突出量を変更可能なすき間調節手段とを備えた簡易な構造として、すき間調節手段をサイドブロックの端面に当接させて、この端面と保持部とのすき間を調節可能として、反力受け体でせん断変形の反力を負担することによってせん断変形を保持できる。このような簡易な構造なので、反力受け体を小さくして装置の小型化が可能となる。
【００１７】
また、反力受け体をスペース的な制約がない位置に設置することが可能となるとともに、一端部が上沓に締結されているので、取り外す際に、不意に飛び出すことがなく安全であり、容易に着脱ができる。
【発明を実施するための最良の形態】
【００１８】
以下、本発明のゴム支承体のせん断変形保持装置を図に示した実施形態に基づいて説明する。なお、従来例と同一構成要素には、同一の符号を付し、説明は省略する。
【００１９】
まず、本発明のせん断変形保持装置を用いる前に、例えば、図５に示すようなジャッキ１４とジャッキ受け１１からなるせん断変形付与装置によってゴム支承体１に、せん断変形が付与される。このジャッキ受け１１は、サイドブロック固定ボルト９によって両サイドブロック４に連結する一対のサイドブロック連結アーム１２と、この連結アーム１２の端部どうしを連結するジャッキ受けプレート１３とを備えている。
【００２０】
上沓２の橋軸方向Ｘの一方の端面とジャッキ受けプレート１３とは、すき間をあけて対向し、このすき間にジャッキ１４を設置して伸長させることによって上沓２が下沓３に対して橋軸方向Ｘに移動してゴム支承体１にせん断変形が付与される。
【００２１】
このように、せん断変形が付与された状態で、本発明のせん断変形保持装置が取付けられ、保持装置の取付け完了後にせん断変形付与装置が取り外される。図１〜３に本発明のせん断変形保持装置がゴム支承体１に取付けられて、せん断変形を保持している状態を例示する。図１は平面図、図２は正面図、図３は図１のＡ矢視図である。
【００２２】
この保持装置はＬ字状の反力受け体６と、すき間調節手段となる調節ボルト８とを備えている。反力受け体６は、一端部に橋軸直角方向Ｙに貫通するボルト貫通孔を有し、締結固定ボルト７が挿通可能となっている。橋軸直角方向Ｙ両サイドにおいて、下沓３に対して橋軸方向Ｘに相対的にずらされた上沓２の橋軸直角方向Ｙ端面には、締結固定ボルト７を螺合するボルト穴が設けられて、反力受け体６のボルト貫通孔を挿通した締結固定ボルト７が螺合することによって、反力受け体６の一端部が強固に締結されている。
【００２３】
反力受け体６の一端部から下方に延びる保持部６ａは、サイドブロック４の基部４ｂの橋軸方向Ｘ端面に対向しており、橋軸方向Ｘに貫通して調節ボルト８を螺合するボルト穴を有している。このボルト穴に螺合する調節ボルト８の先端部が突出して、サイドブロック４の基部４ｂの対向面に当接し、保持部６ａとサイドブロック４の基部４ｂとは橋軸方向Ｘにすき間を有している。このすき間は、調節ボルト８を回転させて橋軸方向Ｘに進退させ、先端部の突出量を調節することによって変えることができる。
【００２４】
このように保持装置が取付けられることによって、ゴム支承体１のせん断変形による反力を反力受け体６が負担して、せん断変形が保持されることとなる。尚、反力受け体６は、せん断変形を与える前から上沓２の橋軸直角方向Ｙ端面に締結しておくこともできる。
【００２５】
保持装置を取付けた後に、調節ボルト８を更に螺入して、せん断変形量を増加させるのは困難であるが、せん断変形量を減らすように調節ボルト８を回転させるには、比較的トルクが必要なく、容易にできる。
【００２６】
そこで、せん断変形付与装置で所定量よりも若干大きくせん断変形を与えた状態で、保持装置を取付けるようにする。これにより、ゴム支承体１を橋脚等に設置して、上部に橋梁を載置する際などのせん断変形の微調節が必要になった場合に、調節ボルト８でせん断変形量を調節することができる。
【００２７】
ゴム支承体１に橋梁が載置されて、せん断変形の保持が不要になった時には、調節ボルト８を後退させて先端部の突出量を減らして、せん断変形の反力を十分解放してから締結固定ボルト７を外して反力受け体６を取り外す。反力受け体６は、締結固定ボルト７で締結されているので不意に飛び出すという危険がなく、安全に取り外し作業ができる。
【００２８】
このように本発明のせん断変形保持装置では、簡易な構造となり、反力受け体６を小さくすることができるので保持装置の小型化が可能となる。また、スペース的に制約が少ない位置に反力受け体６を設置でき、橋軸直角方向Ｙのみで着脱ができるので作業性も向上する。
【００２９】
この実施形態では、調節ボルト８の先端部がサイドブロックの基部４ｂに当接する構造となっているが、サイドブロック４の上方突部４ａが高く、スペースが十分ある場合は、図４に示すようにサイドブロック４の上方突部４ａの橋軸方向Ｘ端面に当接するようにすることもできる。このように、反力受け体６をスペース的に制約の少ない位置に設置することができるので、保持装置の着脱は一層、容易になる。
【００３０】
また、反力受け体６の一端部は、上沓２の下面に突出した突部６ｂを有しているので、この突部６ｂに上沓２の隅部が当接して、がたつきを防止して反力受け体６の傾斜を規制することができる。これによって、安定して反力受け体６を固定することできる。一端部に上沓２の上面に突出した突部６ｂを設けても、上沓２の上面および下面に突出した突部６ｂを設けても反力受け体６の傾斜を規制することができる。
【００３１】
保持部６ａとサイドブロック４の基部４ｂとの橋軸方向Ｘのすき間調節手段は、この実施形態のように、調節ボルト８によるものに限定されず、その他既知の手段を用いることができる。
【００３２】
反力受け体６の形状は、Ｌ字状に限定されず、Ｔ字状、矩形状など種々の形状とすることができ、取付けた際にサイドブロック４と干渉しない形状を採用する。
【図面の簡単な説明】
【００３３】
【図１】本発明の保持装置を用いてゴム支承体のせん断変形を保持している状態を例示する平面図である。
【図２】図１の正面図である。
【図３】図１のＡ矢視図である。
【図４】本発明の保持装置の他の例を示し、ゴム支承体のせん断変形を保持している状態を例示する正面図である。
【図５】ゴム支承体にせん断変形を付与する一例を示す平面図である。
【図６】従来の装置でゴム支承体のせん断変形を保持している状態を例示する平面図である。
【図７】図６の正面図である。
【符号の説明】
【００３４】
１  ゴム支承体
２  上沓
３  下沓
４  サイドブロック    ４ａ  上方突部    ４ｂ  基部
５  ゴム積層体
６  反力受け体        ６ａ  保持部      ６ｂ  突部  
７  締結固定ボルト
８  調節ボルト
９  サイドブロック固定ボルト
１０  スペーサ      １０ａ  くさび状部
１１  ジャッキ受け
１２  サイドブロック連結アーム
１３  ジャッキ受けプレート
１４  ジャッキ
【図１】
2006152672.tif 000003
【図２】
2006152672.tif 000004
【図３】
2006152672.tif 000005
【図４】
2006152672.tif 000006
【図５】
2006152672.tif 000007
【図６】
2006152672.tif 000008
【図７】
2006152672.tif 000009